(57)【要約】【課題】  光軸方向における小型化を図る。【解決手段】  カムフォロアが設けられた１群枠と、カム摺動突部が設けられると共にカムフォロアが摺動自在に係合されるカム溝が形成された第１のカム環と、第１のカム環に光軸と平行な軸を中心に相互回転不能に支持された第２のカム環と、第２のカム環に光軸と平行な軸を中心に相互回転可能かつ光軸方向へ相互移動不能に支持され１群枠を光軸方向へ案内する直進案内環と、直進案内環を光軸方向へ案内する直進案内移動枠と、カム摺動突部が摺動自在に係合されるカム摺動溝が形成され直進案内移動枠を光軸方向へ案内する直進カム環と、直進カム環に光軸と平行な軸を中心に相互回転可能かつ光軸方向へ相互移動不能に支持された回転環とを設けた。【選択図】        図５
2013174767.tif 000002
【特許請求の範囲】
【請求項１】
カムフォロアが設けられた１群枠と、
カム摺動突部が設けられると共に前記カムフォロアが摺動自在に係合されるカム溝が形成された第１のカム環と、
前記第１のカム環に光軸と平行な軸を中心に相互回転不能に支持された第２のカム環と、
前記第２のカム環に光軸と平行な軸を中心に相互回転可能かつ光軸方向へ相互移動不能に支持され前記１群枠を光軸方向へ案内する直進案内環と、
前記直進案内環を光軸方向へ案内する直進案内移動枠と、
前記カム摺動突部が摺動自在に係合されるカム摺動溝が形成され前記直進案内移動枠を光軸方向へ案内する直進カム環と、
前記直進カム環に光軸と平行な軸を中心に相互回転可能かつ光軸方向へ相互移動不能に支持された回転環とを備えた
レンズ鏡筒。
【請求項２】
前記第１のカム環に前記第２のカム環が光軸方向へ相互移動不能に支持された
請求項１に記載のレンズ鏡筒。
【請求項３】
前記第２のカム環にカム係合突部が設けられ、
前記直進カム環に前記カム係合突部が摺動自在に係合されるカム係合溝が形成された
請求項１に記載のレンズ鏡筒。
【請求項４】
前記直進案内移動枠にカム駆動突部が設けられ、
前記第２のカム環に前記カム駆動突部が摺動自在に係合されるカム駆動溝が形成された
請求項１に記載のレンズ鏡筒。
【請求項５】
カム作用突部を有する移動枠が設けられ、
前記第２のカム環に前記カム作用突部が摺動自在に係合されるカム作用溝が形成され、
前記直進案内移動枠にカム案内突部が設けられ、
前記回転環に前記カム案内突部が摺動自在に係合されるカム案内溝が形成された
請求項１に記載のレンズ鏡筒。
【請求項６】
内部に光学系が配置されたレンズ鏡筒と前記光学系を介して取り込まれた光学像を電気的信号に変換する撮像素子とを備え、
前記レンズ鏡筒は、
カムフォロアが設けられた１群枠と、
カム摺動突部が設けられると共に前記カムフォロアが摺動自在に係合されるカム溝が形成された第１のカム環と、
前記第１のカム環に光軸と平行な軸を中心に相互回転不能に支持された第２のカム環と、
前記第２のカム環に光軸と平行な軸を中心に相互回転可能かつ光軸方向へ相互移動不能に支持され前記１群枠を光軸方向へ案内する直進案内環と、
前記直進案内環を光軸方向へ案内する直進案内移動枠と、
前記カム摺動突部が摺動自在に係合されるカム摺動溝が形成され前記直進案内移動枠を光軸方向へ案内する直進カム環と、
前記直進カム環に光軸と平行な軸を中心に相互回転可能かつ光軸方向へ相互移動不能に支持された回転環とを備えた
撮像装置。
【発明の詳細な説明】
【技術分野】
【０００１】
本技術はレンズ鏡筒及び撮像装置についての技術分野に関する。詳しくは、１群枠を光軸方向へ案内する直進案内環の直進成分が直進案内移動枠を介して直進カム環から渡されるようにして小型化を図る技術分野に関する。
【背景技術】
【０００２】
ビデオカメラやスチルカメラ等の各種の撮像装置には、内部にレンズ等の各種の光学部品や光学素子が配置されたレンズ鏡筒が伸縮自在に設けられ、レンズ鏡筒が非撮影時に装置本体に収納され撮影時に装置本体から繰り出されてズーム倍率の変更等を行うことが可能な所謂沈胴タイプがある（例えば、特許文献１参照）。
【０００３】
このような伸縮自在のレンズ鏡筒を設けることにより、非撮影時における小型化（薄型化）と撮影時における良好な光学性能の確保との両立を図ることが可能になる。
【０００４】
以下に、従来の撮像装置のレンズ鏡筒の構成例を示す（図１４参照）。
【０００５】
レンズ鏡筒ａは、光軸回り方向へ回転不能とされ固定環ｂに光軸方向へ案内されて移動される直進カム環ｃと、直進カム環ｃに光軸方向へ案内されて移動される直進案内環ｄと、第２のカム環ｅの光軸回り方向への回転によって直進案内環ｄに光軸方向へ案内されて移動される直進案内移動枠ｆと、直進案内環ｄに光軸方向へ案内される１群枠ｇとを有している。
【０００６】
固定環ｂには回転環ｈが光軸回り方向へ回転可能かつ光軸方向へ移動可能に支持され、回転環ｈには直進カム環ｃが保持されると共に第１のカム環ｉが光軸方向へ移動可能に支持されている。第１のカム環ｉは回転環ｈの光軸回り方向への回転に伴って回転される。
【０００７】
第２のカム環ｅには移動枠ｊが光軸方向へ移動可能に支持されている。
【０００８】
１群枠ｇには第１レンズ群ｋが保持され、移動枠ｊには第２レンズ群ｌが保持され、直進案内移動枠ｆには第３レンズ群ｍが保持されている。
【０００９】
第２のカム環ｅは直進カム環ｃの内周側に位置され直進案内環ｄは第２のカム環ｅの内周側に位置され、繰り出し時には回転環ｈと直進カム環ｃに対して第１のカム環ｉと第２のカム環ｅと直進案内環ｄが被写体側へ突出され、１群枠ｇが第１のカム環ｉと第２のカム環ｅと直進案内環ｄに対してさらに被写体側へ突出される。
【００１０】
このような構成を有するレンズ鏡筒にあっては、直進案内環ｄが最も被写体側に移動される１群枠ｇに連結され、直進案内環ｄに設けられた被ガイド突部ｎが直進カム環ｃに形成された光軸方向に延びるガイド溝ｏに摺動自在に係合されて直進案内環ｄが直進カム環ｃに光軸方向へ案内される。
【００１１】
【特許文献１】特許第４５０４６９７号公報
【発明の開示】
【発明が解決しようとする課題】
【００１２】
上記のような構成を有する従来のレンズ鏡筒ａにあっては、上記したように、１群枠ｇを光軸方向へ案内する直進案内環ｄの直進成分は、被ガイド突部ｎがガイド溝ｏに摺動自在に係合されることにより直進カム環ｃから渡されるように構成されている。
【００１３】
ところが、第２のカム環ｅが直進カム環ｃの内周側に位置され直進案内環ｄが第２のカム環ｅの内周側に位置されており、直進案内環ｄの被ガイド突部ｎを第２のカム環ｅとの干渉を避けるために光軸方向において第２のカム環ｅを越えた位置に設ける必要があり、その分、レンズ鏡筒ａの光軸方向における全長が長く小型化が阻害されている。
【００１４】
そこで、本技術レンズ鏡筒及び撮像装置は、上記した問題点を克服し、光軸方向における小型化を図ることを課題とする。
【課題を解決するための手段】
【００１５】
第１に、レンズ鏡筒は、上記した課題を解決するために、カムフォロアが設けられた１群枠と、カム摺動突部が設けられると共に前記カムフォロアが摺動自在に係合されるカム溝が形成された第１のカム環と、前記第１のカム環に光軸と平行な軸を中心に相互回転不能に支持された第２のカム環と、前記第２のカム環に光軸と平行な軸を中心に相互回転可能かつ光軸方向へ相互移動不能に支持され前記１群枠を光軸方向へ案内する直進案内環と、前記直進案内環を光軸方向へ案内する直進案内移動枠と、前記カム摺動突部が摺動自在に係合されるカム摺動溝が形成され前記直進案内移動枠を光軸方向へ案内する直進カム環と、前記直進カム環に光軸と平行な軸を中心に相互回転可能かつ光軸方向へ相互移動不能に支持された回転環とを備えたものである。
【００１６】
従って、レンズ鏡筒にあっては、１群枠を光軸方向へ案内する直進案内環の直進成分が直進案内移動枠を介して直進カム環から渡される。
【００１７】
第２に、上記したレンズ鏡筒においては、前記第１のカム環に前記第２のカム環が光軸方向へ相互移動不能に支持されることが望ましい。
【００１８】
第１のカム環に第２のカム環が光軸方向へ相互移動不能に支持されることにより、第１のカム環と第２のカム環が光軸方向へ一体になって移動される。
【００１９】
第３に、上記したレンズ鏡筒においては、前記第２のカム環にカム係合突部が設けられ、前記直進カム環に前記カム係合突部が摺動自在に係合されるカム係合溝が形成されることが望ましい。
【００２０】
第２のカム環にカム係合突部が設けられ、直進カム環にカム係合突部が摺動自在に係合されるカム係合溝が形成されることにより、第２のカム環が第１のカム環の光軸方向における移動に拘わらず光軸方向へ移動される。
【００２１】
第４に、上記したレンズ鏡筒においては、前記直進案内移動枠にカム駆動突部が設けられ、前記第２のカム環に前記カム駆動突部が摺動自在に係合されるカム駆動溝が形成されることが望ましい。
【００２２】
直進案内移動枠にカム駆動突部が設けられ、第２のカム環にカム駆動突部が摺動自在に係合されるカム駆動溝が形成されることにより、直進案内移動枠が第２のカム環の光軸と平行な軸を中心にの回転に伴って光軸方向へ移動される。
【００２３】
第５に、上記したレンズ鏡筒においては、カム作用突部を有する移動枠が設けられ、前記第２のカム環に前記カム作用突部が摺動自在に係合されるカム作用溝が形成され、前記直進案内移動枠にカム案内突部が設けられ、前記回転環に前記カム案内突部が摺動自在に係合されるカム案内溝が形成されることが望ましい。
【００２４】
カム作用突部を有する移動枠が設けられ、第２のカム環にカム作用突部が摺動自在に係合されるカム作用溝が形成され、直進案内移動枠にカム案内突部が設けられ、回転環にカム案内突部が摺動自在に係合されるカム案内溝が形成されることにより、第２のカム環に移動枠を光軸方向へ移動させる部分と直進案内移動枠を光軸方向へ移動させる部分との両方の部分を形成する必要がない。
【００２５】
撮像装置は、上記した課題を解決するために、内部に光学系が配置されたレンズ鏡筒と前記光学系を介して取り込まれた光学像を電気的信号に変換する撮像素子とを備え、前記レンズ鏡筒は、カムフォロアが設けられた１群枠と、カム摺動突部が設けられると共に前記カムフォロアが摺動自在に係合されるカム溝が形成された第１のカム環と、前記第１のカム環に光軸と平行な軸を中心に相互回転不能に支持された第２のカム環と、前記第２のカム環に光軸と平行な軸を中心に相互回転可能かつ光軸方向へ相互移動不能に支持され前記１群枠を光軸方向へ案内する直進案内環と、前記直進案内環を光軸方向へ案内する直進案内移動枠と、前記カム摺動突部が摺動自在に係合されるカム摺動溝が形成され前記直進案内移動枠を光軸方向へ案内する直進カム環と、前記直進カム環に光軸と平行な軸を中心に相互回転可能かつ光軸方向へ相互移動不能に支持された回転環とを備えたものである。
【００２６】
従って、撮像装置にあっては、１群枠を光軸方向へ案内する直進案内環の直進成分が直進案内移動枠を介して直進カム環から渡される。
【発明の効果】
【００２７】
本技術レンズ鏡筒は、カムフォロアが設けられた１群枠と、カム摺動突部が設けられると共に前記カムフォロアが摺動自在に係合されるカム溝が形成された第１のカム環と、前記第１のカム環に光軸と平行な軸を中心に相互回転不能に支持された第２のカム環と、前記第２のカム環に光軸と平行な軸を中心に相互回転可能かつ光軸方向へ相互移動不能に支持され前記１群枠を光軸方向へ案内する直進案内環と、前記直進案内環を光軸方向へ案内する直進案内移動枠と、前記カム摺動突部が摺動自在に係合されるカム摺動溝が形成され前記直進案内移動枠を光軸方向へ案内する直進カム環と、前記直進カム環に光軸と平行な軸を中心に相互回転可能かつ光軸方向へ相互移動不能に支持された回転環とを備えている。
【００２８】
従って、直進案内環に直進カム環との連結を行うための第２のカム環を越えて位置される光軸方向に長い被ガイド突部を設ける必要がなく、その分、レンズ鏡筒の光軸方向における小型化を図ることができる。
【００２９】
請求項２に記載した技術にあっては、前記第１のカム環に前記第２のカム環が光軸方向へ相互移動不能に支持されている。
【００３０】
従って、第１のカム環と第２のカム環が光軸方向へ一体になって移動されるため、動作の簡素化を図ることができる。
【００３１】
請求項３に記載した技術にあっては、前記第２のカム環にカム係合突部が設けられ、前記直進カム環に前記カム係合突部が摺動自在に係合されるカム係合溝が形成されている。
【００３２】
従って、第２のカム環が第１のカム環の光軸方向における移動に拘わらず光軸方向へ移動されるため、設計の自由度の向上を図ることができる。
【００３３】
請求項４に記載した技術にあっては、前記直進案内移動枠にカム駆動突部が設けられ、前記第２のカム環に前記カム駆動突部が摺動自在に係合されるカム駆動溝が形成されている。
【００３４】
従って、直進案内移動枠が第２のカム環の光軸と平行な軸を中心にの回転に伴って光軸方向へ確実に移動されるため、直進案内移動枠の動作の適正化を図ることができる。
【００３５】
請求項５に記載した技術にあっては、カム作用突部を有する移動枠が設けられ、前記第２のカム環に前記カム作用突部が摺動自在に係合されるカム作用溝が形成され、前記直進案内移動枠にカム案内突部が設けられ、前記回転環に前記カム案内突部が摺動自在に係合されるカム案内溝が形成されている。
【００３６】
従って、第２のカム環に移動枠を光軸方向へ移動させる部分と直進案内移動枠を光軸方向へ移動させる部分との両方の部分を形成する必要がなく、その分、第２のカム環と回転環の双方の設計自由度の向上を図ることができる。
【００３７】
本技術撮像装置は、内部に光学系が配置されたレンズ鏡筒と前記光学系を介して取り込まれた光学像を電気的信号に変換する撮像素子とを備え、前記レンズ鏡筒は、カムフォロアが設けられた１群枠と、カム摺動突部が設けられると共に前記カムフォロアが摺動自在に係合されるカム溝が形成された第１のカム環と、前記第１のカム環に光軸と平行な軸を中心に相互回転不能に支持された第２のカム環と、前記第２のカム環に光軸と平行な軸を中心に相互回転可能かつ光軸方向へ相互移動不能に支持され前記１群枠を光軸方向へ案内する直進案内環と、前記直進案内環を光軸方向へ案内する直進案内移動枠と、前記カム摺動突部が摺動自在に係合されるカム摺動溝が形成され前記直進案内移動枠を光軸方向へ案内する直進カム環と、前記直進カム環に光軸と平行な軸を中心に相互回転可能かつ光軸方向へ相互移動不能に支持された回転環とを備えている。
【００３８】
従って、直進案内環に直進カム環との連結を行うための第２のカム環を越えて位置される光軸方向に長い被ガイド突部を設ける必要がなく、その分、レンズ鏡筒の光軸方向における小型化を図ることができる。
【発明を実施するための最良の形態】
【００３９】
以下に、本技術を実施するための最良の形態を添付図面に従って説明する。
【００４０】
以下に示した最良の形態は、本技術撮像装置をスチルカメラに適用し、本技術レンズ鏡筒をこのスチルカメラに設けられたレンズ鏡筒に適用したものである。
【００４１】
尚、本技術の適用範囲はスチルカメラ及びスチルカメラに設けられたレンズ鏡筒に限られることはなく、例えば、ビデオカメラや他の機器に組み込まれる各種の撮像装置及びこれらの撮像装置に設けられるレンズ鏡筒に広く適用することができる。
【００４２】
以下の説明にあっては、スチルカメラの撮影時において撮影者から見た方向で前後上下左右の方向を示すものとする。従って、被写体側が前方となり、撮影者側が後方となる。
【００４３】
尚、以下に示す前後上下左右の方向は説明の便宜上のものであり、本技術の実施に関しては、これらの方向に限定されることはない。
【００４４】
［撮像装置の構成］
撮像装置１は、図１及び図２に示すように、装置本体２と装置本体２に前後方向（光軸方向）へ移動自在に支持されたレンズ鏡筒３とを備え、非撮影時等にレンズ鏡筒３が装置本体２に収納され（図１参照）、撮影時等にレンズ鏡筒３が装置本体２から前方へ突出される（図２参照）所謂沈胴タイプの撮像装置である。レンズ鏡筒３は装置本体２に収納される収納位置（図１参照）と装置本体２から前方へ突出される繰出位置（図２参照）との間で伸縮される。
【００４５】
このような沈胴タイプの撮像装置１にあっては、非撮影時における小型化（薄型化）と撮影時における良好な光学性能の確保とを両立させることができる。
【００４６】
装置本体２は、例えば、横長の扁平な筐体４の内外に所要の各部が配置されて成る（図１乃至図３参照）。
【００４７】
装置本体２の前面にはフラッシュ５が設けられている。装置本体２の上面にはシャッター釦６、ズームスイッチ７及び電源釦８が設けられている。装置本体２の後面にはディスプレイ９と各種の操作部１０、１０、・・・が設けられている。
【００４８】
［レンズ鏡筒］
＜第１の実施の形態の構成等＞
以下に、第１の実施の形態に係るレンズ鏡筒３の構成について説明する（図４乃至図６参照）。
【００４９】
レンズ鏡筒３は固定環１１、回転環１２、直進カム環１３、第１のカム環１４、第２のカム環１５、直進案内環１６、直進案内移動枠１７、移動枠１８及び１群枠１９を有している。
【００５０】
固定環１１は略円筒状の本体部２０と本体部２０の外周面に設けられたモーター取付部２１とを有し、固定された状態で配置されている。
【００５１】
固定環１１には本体部２０の内周面に周方向へ行くに従って前後に変位するカム変位溝１１ａ、１１ａ、１１ａと前後に延びる直進案内溝１１ｂ、１１ｂ、１１ｂとがそれぞれ周方向に離隔して形成されている。
【００５２】
モーター取付部２１には駆動モーター２２と図示しないギヤやウォーム等の駆動伝達部が支持されている。駆動モーター２２の駆動力は駆動伝達部に伝達される。
【００５３】
固定環１１は後面が固定板２３に取り付けられ、固定板２３の中央部には撮像素子２４が取り付けられている。
【００５４】
回転環１２は固定環１１より一回り小さい略円筒状に形成され、回転環１２の後端部には外方へ突出されたカム変位突部１２ａ、１２ａ、１２ａが周方向に離隔して設けられている。回転環１２の外周面における後端部には周方向に延びるラック部１２ｂが設けられている。回転環１２の内周面には前後に延びる直進ガイド溝１２ｃ、１２ｃ、１２ｃと周方向に延びる規制溝１２ｄが形成されている。
【００５５】
回転環１２のカム変位突部１２ａ、１２ａ、１２ａはそれぞれ固定環１１のカム変位溝１１ａ、１１ａ、１１ａに摺動自在に係合されている。
【００５６】
回転環１２はラック部１２ｂが固定環１１に支持されたギヤ（駆動伝達部）に噛合され、駆動モーター２２の駆動力が駆動伝達部を介して伝達されて固定環１１に対して光軸と平行な軸を中心に回転される。回転環１２が光軸と平行な軸を中心に回転されると、カム変位部１２ａ、１２ａ、１２ａがカム変位溝１１ａ、１１ａ、１１ａに摺動されて回転環１２が前後方向（光軸方向）へ移動される。
【００５７】
直進カム環１３は回転環１２より一回り小さい略円筒状に形成され、直進カム環１３の後端部には外方へ突出された被案内突部１３ａ、１３ａ、１３ａが周方向に離隔して設けられている。直進カム環１３の外周面には周方向に延びる被規制突部１３ｂ、１３ｂ、・・・が周方向に離隔して設けられている。
【００５８】
直進カム環１３には周方向へ行くに従って前後に変位するカム摺動溝１３ｃ、１３ｃ、１３ｃと周方向へ行くに従って前後に変位するカム係合溝１３ｄ、１３ｄ、１３ｄと前後に延びる直進誘導溝１３ｅ、１３ｅ、１３ｅとがそれぞれ周方向に離隔して形成されている。
【００５９】
直進カム環１３の被案内突部１３ａ、１３ａ、１３ａはそれぞれ固定環１１の直進案内溝１１ｂ、１１ｂ、１１ｂに摺動自在に係合されている。直進カム環１３の被規制突部１３ｂ、１３ｂ、・・・はそれぞれ回転環１２の規制溝１２ｄに摺動自在に係合されている。
【００６０】
従って、直進カム環１３は被規制突部１３ｂ、１３ｂ、・・・が規制溝１２ｄに係合されることにより回転環１２に対する前後方向への移動が規制され、回転環１２の回転に伴って被案内突部１３ａ、１３ａ、１３ａが直進案内溝１１ｂ、１１ｂ、１１ｂに案内されて回転環１２と一体になって固定環１１に対して光軸方向へ移動される。
【００６１】
第１のカム環１４は直進カム環１３より一回り小さい略円筒状に形成され、第１のカム環１４の後端部に外方へ突出されたカム摺動突部１４ａ、１４ａ、１４ａが周方向に離隔して設けられている。
【００６２】
第１のカム環１４には周方向へ行くに従って前後に変位するカム溝１４ｂ、１４ｂ、・・・が形成されている。第１のカム環１４の後端部には後方に開口された直進案内凹部１４ｃ、１４ｃ、１４ｃが周方向に離隔して形成されている。
【００６３】
第１のカム環１４のカム摺動突部１４ａ、１４ａ、１４ａはそれぞれ直進カム環１３のカム摺動溝１３ｃ、１３ｃ、１３ｃに摺動自在に係合されると共にカム摺動溝１３ｃ、１３ｃ、１３ｃを貫通されて先端部が回転環１２の直進ガイド溝１２ｃ、１２ｃ、１２ｃに摺動自在に係合されている。
【００６４】
従って、第１のカム環１４は回転環１２の光軸と平行な軸を中心にした回転に伴って回転されると共にカム摺動突部１４ａ、１４ａ、１４ａがカム摺動溝１３ｃ、１３ｃ、１３ｃと直進ガイド溝１２ｃ、１２ｃ、１２ｃに摺動されて光軸方向へ移動される。即ち、第１のカム環１４は光軸と平行な軸を中心に回転しながら光軸方向へ移動される。
【００６５】
第２のカム環１５は第１のカム環１４より小さい略円筒状に形成され、第２のカム環１５の後端部には外方へ突出されたカム係合突部１５ａ、１５ａ、１５ａが周方向に離隔して設けられている。
【００６６】
第２のカム環１５には周方向へ行くに従って前後に変位するカム作用溝１５ｂ、１５ｂ、１５ｂと周方向へ行くに従って前後に変位するカム駆動溝１５ｃ、１５ｃ、１５ｃとが周方向において交互に形成されている。第２のカム環１５の後端部には周方向に延びる摺動規制溝１５ｄ、１５ｄ、１５ｄが周方向に離隔して形成されている。
【００６７】
第２のカム環１５のカム係合突部１５ａ、１５ａ、１５ａはそれぞれ直進カム環１３のカム係合溝１３ｄ、１３ｄ、１３ｄに摺動自在に係合されると共にそれぞれ第１のカム環１４の直進案内凹部１４ｃ、１４ｃ、１４ｃに摺動自在に係合されている。
【００６８】
従って、第２のカム環１５は第１のカム環１４の光軸と平行な軸を中心にした回転に伴って回転されると共にカム係合突部１５ａ、１５ａ、１５ａがカム係合溝１３ｄ、１３ｄ、１３ｄと直進案内凹部１４ｃ、１４ｃ、１４ｃに摺動されて光軸方向へ移動される。即ち、第２のカム環１５は光軸と平行な軸を中心に回転しながら光軸方向へ移動される。
【００６９】
直進案内環１６は第２のカム環１５より一回り小さい略円筒状に形成され、直進案内環１６の前端部には外方へ突出されたガイド突部１６ａ、１６ａ、・・・が周方向に離隔して設けられている。直進案内環１６の後端部には外方へ突出された摺動被規制突部１６ｂ、１６ｂ、１６ｂが周方向に離隔して設けられている。
【００７０】
直進案内環１６には前後方向に延びる第１の被案内溝１６ｃ、１６ｃ、１６ｃと前後方向に延びる第２の被案内溝１６ｄ、１６ｄ、１６ｄとがそれぞれ周方向に離隔して交互に形成されている。
【００７１】
直進案内環１６の摺動被規制突部１６ｂ、１６ｂ、１６ｂはそれぞれ第２のカム環１５の摺動規制溝１５ｄ、１５ｄ、１５ｄに摺動自在に係合されている。
【００７２】
直進案内移動枠１７は第２のカム環１５より一回り小さい略円筒状に形成された保持筒部２５と保持筒部２５の後端部から外方へ張り出されたフランジ部２６とを有している。
【００７３】
保持筒部２５には第３レンズ群２７が保持されている。
【００７４】
直進案内移動枠１７には保持筒部２５の前端部に外方へ突出されたカム駆動突部１７ａ、１７ａ、１７ａが周方向に離隔して設けられている。直進案内移動枠１７にはフランジ部２６の外周部に前方へ突出された直進誘導突部１７ｂ、１７ｂ、１７ｂが周方向に離隔して設けられている。
【００７５】
直進案内移動枠１７のカム駆動突部１７ａ、１７ａ、１７ａはそれぞれ第２のカム環１５のカム駆動溝１５ｃ、１５ｃ、１５ｃに摺動自在に係合されている。直進案内移動枠１７の直進誘導突部１７ｂ、１７ｂ、１７ｂはそれぞれ直進カム環１３の直進誘導溝１３ｅ、１３ｅ、１３ｅに摺動自在に係合されている。
【００７６】
従って、直進案内移動枠１７は第２のカム環１５の回転によってカム駆動突部１７ａ、１７ａ、１７ａがそれぞれカム駆動溝１５ｃ、１５ｃ、１５ｃに摺動され、直進誘導突部１７ｂ、１７ｂ、１７ｂがそれぞれ直進誘導溝１３ｅ、１３ｅ、１３ｅに案内されて光軸方向へ移動される。
【００７７】
また、直進案内移動枠１７の保持筒部２５の外周面には前後に延びる案内突条１７ｃ、１７ｃ、１７ｃが周方向に離隔して設けられている。案内突条１７ｃ、１７ｃ、１７ｃにはそれぞれ直進案内環１６の被案内溝１６ｃ、１６ｃ、１６ｃが摺動自在に係合されている。
【００７８】
従って、直進案内環１６は案内突条１７ｃ、１７ｃ、１７ｃに被案内溝１６ｃ、１６ｃ、１６ｃが案内されて光軸方向へ移動可能とされており、第２のカム環１５が光軸と平行な軸を中心に回転しながら光軸方向へ移動されるときに、第２のカム環１５の光軸方向への移動に伴って移動される。
【００７９】
移動枠１８は第２のカム環１５より一回り小さい略円板状に形成された保持板部２８と保持板部２８の外周部からそれぞれ後方へ突出され周方向に離隔して設けられた摺動アーム部２９、２９、２９とを有している。
【００８０】
移動枠１８には摺動アーム部２９、２９、２９の後端部にそれぞれ外方へ突出されたカム作用突部１８ａ、１８ａ、１８ａが設けられている。
【００８１】
保持板部２８には第２レンズ群３０が保持されている。
【００８２】
移動枠１８のカム作用突部１８ａ、１８ａ、１８ａはそれぞれ第２のカム環１５のカム作用溝１５ｂ、１５ｂ、１５ｂに摺動自在に係合されている。移動枠１８の摺動アーム部２９、２９、２９は直進案内環１６の第２の被案内溝１６ｄ、１６ｄ、１６ｄに摺動自在に係合されている。
【００８３】
従って、移動枠１８は第２のカム環１５の回転によってカム作用突部１８ａ、１８ａ、１８ａがカム作用溝１５ｂ、１５ｂ、１５ｂに摺動され、摺動アーム部２９、２９、２９が第２の被案内溝１６ｄ、１６ｄ、１６ｄに案内されて光軸方向へ移動される。
【００８４】
１群枠１９は第１のカム環１４より一回り小さい略円環状の筒部３１と筒部３１の前端部から内方へ張り出された保持面部３２とを有している。
【００８５】
１群枠１９には筒部３１の後端部にそれぞれ外方へ突出されたカムフォロア１９ａ、１９ａ、１９ａが設けられている。
【００８６】
１群枠１９には筒部３１に前後に延びる被ガイド溝１９ｂ、１９ｂ、・・・が周方向に離隔して形成されている。
【００８７】
保持面部３２には第１レンズ群３３が保持されている。
【００８８】
１群枠１９のカムフォロア１９ａ、１９ａ、１９ａはそれぞれ第１のカム環１４のカム溝１４ｂ、１４ｂ、・・・に摺動自在に係合されている。１群枠１９の被ガイド溝１９ｂ、１９ｂ、・・・は直進案内環１６のガイド突部１６ａ、１６ａ、・・・に摺動自在に係合されている。
【００８９】
従って、１群枠１９は第１のカム環１４の回転によってカムフォロア１９ａ、１９ａ、１９ａがカム溝１４ｂ、１４ｂ、・・・に摺動され、被ガイド溝１９ｂ、１９ｂ、・・・がガイド突部１６ａ、１６ａ、・・・に案内されて光軸方向へ移動される。
【００９０】
１群枠１９の前端側にはレンズバリヤー３４、３４が開閉自在に支持されている。レンズ鏡筒３が装置本体２に収納された収納位置においてはレンズバリヤー３４、３４が閉じられて第１レンズ群３３が閉塞されている（図１参照）。レンズ鏡筒３が繰り出されると、レンズバリヤー３４、３４が開かれて第１レンズ群３３が露出され被写体の撮影が可能な状態とされる（図２参照）。
【００９１】
＜第１の実施の形態の動作＞
上記のように構成されたレンズ鏡筒３は収納位置（図６参照）と繰出位置（図５参照）の間で伸縮するように動作される。
【００９２】
繰出位置において駆動モーター２２の駆動力によって回転環１２が光軸と平行な軸を中心に回転されると、回転環１２はカム変位部１２ａ、１２ａ、１２ａがカム変位溝１１ａ、１１ａ、１１ａに摺動されて光軸方向へ移動される。
【００９３】
回転環１２が駆動モーター２２の駆動力によって回転されると、各部が以下のように動作される。
【００９４】
直進カム環１３は回転環１２の回転に伴って被案内突部１３ａ、１３ａ、１３ａが直進案内溝１１ｂ、１１ｂ、１１ｂに案内されて回転環１２の光軸方向への移動に伴って移動される。
【００９５】
第１のカム環１４は回転環１２の光軸と平行な軸を中心にした回転に伴って回転されると共にカム摺動突部１４ａ、１４ａ、１４ａがカム摺動溝１３ｃ、１３ｃ、１３ｃと直進ガイド溝１２ｃ、１２ｃ、１２ｃに摺動されて光軸方向へ移動される。
【００９６】
第２のカム環１５は第１のカム環１４の光軸と平行な軸を中心にした回転に伴って回転されると共にカム係合突部１５ａ、１５ａ、１５ａがカム係合溝１３ｄ、１３ｄ、１３ｄと直進案内凹部１４ｃ、１４ｃ、１４ｃに摺動されて光軸方向へ移動される。
【００９７】
直進案内移動枠１７は第２のカム環１５の回転によってカム駆動突部１７ａ、１７ａ、１７ａがそれぞれカム駆動溝１５ｃ、１５ｃ、１５ｃに摺動され、直進誘導突部１７ｂ、１７ｂ、１７ｂがそれぞれ直進誘導溝１３ｅ、１３ｅ、１３ｅに案内されて光軸方向へ移動される。
【００９８】
直進案内環１６は第２のカム環１５が光軸と平行な軸を中心に回転しながら光軸方向へ移動されるため、第２のカム環１５の光軸方向への移動に伴って移動される。
【００９９】
移動枠１８は第２のカム環１５の回転によってカム作用突部１８ａ、１８ａ、１８ａがカム作用溝１５ｂ、１５ｂ、１５ｂに摺動され、摺動アーム部２９、２９、２９が第２の被案内溝１６ｄ、１６ｄ、１６ｄに案内されて光軸方向へ移動される。
【０１００】
１群枠１９は第１のカム環１４の回転によってカムフォロア１９ａ、１９ａ、１９ａがカム溝１４ｂ、１４ｂ、・・・に摺動され、被ガイド溝１９ｂ、１９ｂ、・・・がガイド突部１６ａ、１６ａ、・・・に案内されて光軸方向へ移動される。
【０１０１】
上記のように１群枠１９と移動枠１８と直進案内移動枠１７がそれぞれ光軸方向へ移動されるため、１群枠１９と移動枠１８と直進案内移動枠１７にそれぞれ保持された第１レンズ群３３と第２レンズ群３０と第３レンズ群２７がそれぞれ光軸方向へ移動されてズーミングが行われる。
【０１０２】
＜第１の実施の形態のまとめ＞
以上に記載した通り、レンズ鏡筒３にあっては、第１レンズ群３３を保持する１群枠１９と１群枠１９を光軸方向へ案内する直進案内環１６と直進案内環１６を光軸方向へ案内する直進案内移動枠１７と直進案内移動枠１７を光軸方向へ案内する直進カム環１３とを有し、１群枠１９を光軸方向へ案内する直進案内環１６の直進成分が直進案内移動枠１７を介して直進カム環１３から渡されるように構成されている。
【０１０３】
従って、直進案内環１６に直進カム環１３との連結を行うための第２のカム環１５を越えて位置される光軸方向に長い被ガイド突部を設ける必要がなく、その分、レンズ鏡筒３の光軸方向における小型化を図ることができる。
【０１０４】
尚、直進案内移動枠１７はレンズ鏡筒３を構成するために必要な部材であるため、直進案内環１６の直進成分が直進案内移動枠１７を介して直進カム環１３から渡されるように構成しても部品点数が増加することがなく、部品点数の増加や製造コストの高騰を来たすことなく、レンズ鏡筒３の小型化を図ることができる。
【０１０５】
また、レンズ鏡筒３にあっては、第２のカム環１５にカム係合突部１５ａ、１５ａ、１５ａが設けられ、直進カム環１３にカム係合突部１５ａ、１５ａ、１５ａがそれぞれ摺動自在に係合されるカム係合溝１３ｄ、１３ｄ、１３ｄが形成されている。
【０１０６】
従って、第２のカム環１５が第１のカム環１４の光軸方向における移動に拘わらず光軸方向へ移動されるため、設計の自由度の向上を図ることができる。
【０１０７】
さらに、レンズ鏡筒３にあっては、直進案内移動枠１７にカム駆動突部１７ａ、１７ａ、１７ａが設けられ、第２のカム環１５にカム駆動突部１７ａ、１７ａ、１７ａがそれぞれ摺動自在に係合されるカム駆動溝１５ｃ、１５ｃ、１５ｃが形成されている。
【０１０８】
従って、直進案内移動枠１７が第２のカム環１５の光軸と平行な軸を中心にした回転に伴って光軸方向へ確実に移動されるため、直進案内移動枠１７の動作の適正化を図ることができる。
【０１０９】
＜第２の実施の形態の構成等＞
次に、第２の実施の形態に係るレンズ鏡筒３Ａの構成について説明する（図７乃至図８参照）。
【０１１０】
尚、以下に示すレンズ鏡筒３Ａは、上記したレンズ鏡筒３と比較して、直進カム環と第１のカム環と第２のカム環の構成が異なることのみが相違するため、レンズ鏡筒３と比較して異なる部分についてのみ詳細に説明をし、その他の部分についてはレンズ鏡筒３における同様の部分に付した符号と同じ符号を付して説明は省略する。
【０１１１】
レンズ鏡筒３Ａは固定環１１、回転環１２、直進カム環１３Ａ、第１のカム環１４Ａ、第２のカム環１５Ａ、直進案内環１６、直進案内移動枠１７、移動枠１８及び１群枠１９を有している。
【０１１２】
直進カム環１３Ａは回転環１２より一回り小さい略円筒状に形成され、直進カム環１３Ａにはカム係合溝１３ｄ、１３ｄ、１３ｄが形成されていない。
【０１１３】
第１のカム環１４Ａは直進カム環１３Ａより一回り小さい略円筒状に形成され、第１のカム環１４Ａの後端部に嵌合凹部１４ｄ、１４ｄ、１４ｄが周方向に離隔して形成されている。第１のカム環１４Ａには直進案内凹部１４ｃ、１４ｃ、１４ｃが形成されていない。
【０１１４】
第２のカム環１５Ａは第１のカム環１４Ａより小さい略円筒状に形成され、第２のカム環１５Ａの後端部には嵌合突部１５ｅ、１５ｅ、１５ｅが周方向に離隔して設けられている。第２のカム環１５Ａにはカム係合突部１５ａ、１５ａ、１５ａが設けられていない。
【０１１５】
第２のカム環１５Ａは嵌合突部１５ｅ、１５ｅ、１５ｅがそれぞれ第１のカム環１４Ａの嵌合凹部１４ｄ、１４ｄ、１４ｄに嵌合されて第１のカム環１４Ａに結合されている。
【０１１６】
従って、第２のカム環１５Ａは第１のカム環１４Ａの光軸と平行な軸を中心にした回転に伴って一体に回転されると共に第１のカム環１４Ａの光軸方向への移動に伴って一体に移動される。
【０１１７】
尚、第２のカム環１５Ａと第１のカム環１４Ａの結合は嵌合突部１５ｅ、１５ｅ、１５ｅが嵌合凹部１４ｄ、１４ｄ、１４ｄに嵌合されて行われることに限られることはなく、例えば、ネジ止めや接着等によって行われるようにしてもよい。
【０１１８】
また、第２のカム環１５Ａと第１のカム環１４Ａの結合は、光軸方向における結合と周方向における結合とを異なる位置で嵌合することにより行ってもよい。
【０１１９】
＜第２の実施の形態の動作＞
上記のように構成されたレンズ鏡筒３Ａは収納位置（図８参照）と繰出位置（図７参照）の間で伸縮するように動作される。
【０１２０】
回転環１２が駆動モーター２２の駆動力によって回転されると、各部が以下のように動作される。
【０１２１】
直進カム環１３Ａは回転環１２の回転に伴って被案内突部１３ａ、１３ａ、１３ａが直進案内溝１１ｂ、１１ｂ、１１ｂに案内されて回転環１２の光軸方向への移動に伴って一体になって移動される。
【０１２２】
第１のカム環１４Ａは回転環１２の光軸と平行な軸を中心にした回転に伴って一体になって回転されると共にカム摺動突部１４ａ、１４ａ、１４ａがカム摺動溝１３ｃ、１３ｃ、１３ｃと直進ガイド溝１２ｃ、１２ｃ、１２ｃに摺動されて光軸方向へ移動される。
【０１２３】
第２のカム環１５Ａは第１のカム環１４Ａの光軸と平行な軸を中心にした回転に伴って一体に回転されると共に第１のカム環１４Ａの光軸方向への移動に伴って一体に移動される。
【０１２４】
＜第２の実施の形態のまとめ＞
以上に記載した通り、レンズ鏡筒３Ａにあっては、第１レンズ群３３を保持する１群枠１９と１群枠１９を光軸方向へ案内する直進案内環１６と直進案内環１６を光軸方向へ案内する直進案内移動枠１７と直進案内移動枠１７を光軸方向へ案内する直進カム環１３Ａとを有し、１群枠１９を光軸方向へ案内する直進案内環１６の直進成分が直進案内移動枠１７を介して直進カム環１３Ａから渡されるように構成されている。
【０１２５】
従って、直進案内環１６に直進カム環１３Ａとの連結を行うための第２のカム環１５Ａを越えて位置される光軸方向に長い被ガイド突部を設ける必要がなく、その分、レンズ鏡筒３Ａの光軸方向における小型化を図ることができる。
【０１２６】
尚、直進案内移動枠１７はレンズ鏡筒３Ａを構成するために必要な部材であるため、直進案内環１６の直進成分が直進案内移動枠１７を介して直進カム環１３Ａから渡されるように構成しても部品点数が増加することがなく、部品点数の増加や製造コストの高騰を来たすことなく、レンズ鏡筒３Ａの小型化を図ることができる。
【０１２７】
また、レンズ鏡筒３Ａにあっては、第１のカム環１４Ａと第２のカム環１５Ａは光軸方向へ相互移動不能に支持されている。
【０１２８】
従って、第１のカム環１４Ａと第２のカム環１５Ａが光軸方向へ一体になって移動されるため、動作の簡素化を図ることができる。
【０１２９】
さらに、レンズ鏡筒３Ａにあっては、直進案内移動枠１７にカム駆動突部１７ａ、１７ａ、１７ａが設けられ、第２のカム環１５Ａにカム駆動突部１７ａ、１７ａ、１７ａがそれぞれ摺動自在に係合されるカム駆動溝１５ｃ、１５ｃ、１５ｃが形成されている。
【０１３０】
従って、直進案内移動枠１７が第２のカム環１５Ａの光軸と平行な軸を中心にした回転に伴って光軸方向へ確実に移動されるため、直進案内移動枠１７の動作の適正化を図ることができる。
【０１３１】
＜第３の実施の形態の構成等＞
以下に、第３の実施の形態に係るレンズ鏡筒３Ｂの構成について説明する（図９乃至図１０参照）。
【０１３２】
尚、以下に示すレンズ鏡筒３Ｂは、上記したレンズ鏡筒３と比較して、回転環と第２のカム環と直進案内移動枠の構成が異なることのみが相違するため、レンズ鏡筒３と比較して異なる部分についてのみ詳細に説明をし、その他の部分についてはレンズ鏡筒３における同様の部分に付した符号と同じ符号を付して説明は省略する。
【０１３３】
レンズ鏡筒３Ｂは固定環１１、回転環１２Ｂ、直進カム環１３、第１のカム環１４、第２のカム環１５Ｂ、直進案内環１６、直進案内移動枠１７Ｂ、移動枠１８及び１群枠１９を有している。
【０１３４】
回転環１２Ｂは固定環１１より一回り小さい略円筒状に形成され、回転環１２Ｂにカム案内溝１２ｅ、１２ｅ、１２ｅが周方向に離隔して形成されている。
【０１３５】
第２のカム環１５Ｂは第１のカム環１４より小さい略円筒状に形成され、第２のカム環１５Ｂにはカム駆動溝１５ｃ、１５ｃ、１５ｃが形成されていない。
【０１３６】
直進案内移動枠１７Ｂは第２のカム環１５Ｂより一回り小さい略円筒状に形成された保持筒部２５と保持筒部２５の後端部から外方へ張り出されたフランジ部２６とを有している。
【０１３７】
直進案内移動枠１７Ｂには直進誘導突部１７ｂ、１７ｂ、１７ｂの前端部にそれぞれ外方へ突出されたカム案内突部１７ｄ、１７ｄ、１７ｄが設けられている。直進案内移動枠１７Ｂにはカム駆動突部１７ａ、１７ａ、１７ａが設けられていない。
【０１３８】
直進案内移動枠１７Ｂのカム案内突部１７ｄ、１７ｄ、１７ｄはそれぞれ回転環１２Ｂのカム案内溝１２ｅ、１２ｅ、１２ｅに摺動自在に係合されている。
【０１３９】
従って、直進案内移動枠１７Ｂは回転環１２Ｂの回転によってカム案内突部１７ｄ、１７ｄ、１７ｄがそれぞれカム案内溝１２ｅ、１２ｅ、１２ｅに摺動され、直進誘導突部１７ｂ、１７ｂ、１７ｂがそれぞれ直進誘導溝１３ｅ、１３ｅ、１３ｅに案内されて光軸方向へ移動される。
【０１４０】
＜第３の実施の形態の動作＞
上記のように構成されたレンズ鏡筒３Ｂは収納位置（図１０参照）と繰出位置（図９参照）の間で伸縮するように動作される。
【０１４１】
回転環１２Ｂが駆動モーター２２の駆動力によって回転されると、各部が以下のように動作される。
【０１４２】
第２のカム環１５Ｂは第１のカム環１４の光軸と平行な軸を中心にした回転に伴って回転されると共にカム係合突部１５ａ、１５ａ、１５ａがカム係合溝１３ｄ、１３ｄ、１３ｄと直進案内凹部１４ｃ、１４ｃ、１４ｃに摺動されて光軸方向へ移動される。
【０１４３】
直進案内移動枠１７Ｂは回転環１２Ｂの回転によってカム案内突部１７ｄ、１７ｄ、１７ｄがそれぞれカム案内溝１２ｅ、１２ｅ、１２ｅに摺動され、直進誘導突部１７ｂ、１７ｂ、１７ｂがそれぞれ直進誘導溝１３ｅ、１３ｅ、１３ｅに案内されて光軸方向へ移動される。
【０１４４】
＜第３の実施の形態のまとめ＞
以上に記載した通り、レンズ鏡筒３Ｂにあっては、第１レンズ群３３を保持する１群枠１９と１群枠１９を光軸方向へ案内する直進案内環１６と直進案内環１６を光軸方向へ案内する直進案内移動枠１７Ｂと直進案内移動枠１７Ｂを光軸方向へ案内する直進カム環１３とを有し、１群枠１９を光軸方向へ案内する直進案内環１６の直進成分が直進案内移動枠１７Ｂを介して直進カム環１３から渡されるように構成されている。
【０１４５】
従って、直進案内環１６に直進カム環１３との連結を行うための第２のカム環１５Ｂを越えて位置される光軸方向に長い被ガイド突部を設ける必要がなく、その分、レンズ鏡筒３Ｂの光軸方向における小型化を図ることができる。
【０１４６】
尚、直進案内移動枠１７Ｂはレンズ鏡筒３Ｂを構成するために必要な部材であるため、直進案内環１６の直進成分が直進案内移動枠１７Ｂを介して直進カム環１３から渡されるように構成しても部品点数が増加することがなく、部品点数の増加や製造コストの高騰を来たすことなく、レンズ鏡筒３Ｂの小型化を図ることができる。
【０１４７】
また、レンズ鏡筒３Ｂにあっては、第２のカム環１５Ｂにカム係合突部１５ａ、１５ａ、１５ａが設けられ、直進カム環１３にカム係合突部１５ａ、１５ａ、１５ａがそれぞれ摺動自在に係合されるカム係合溝１３ｄ、１３ｄ、１３ｄが形成されている。
【０１４８】
従って、第２のカム環１５Ｂが第１のカム環１４の光軸方向における移動に拘わらず光軸方向へ移動されるため、設計の自由度の向上を図ることができる。
【０１４９】
さらに、レンズ鏡筒３Ｂにあっては、カム作用突部１８ａ、１８ａ、１８ａを有する移動枠１８が設けられ、第２のカム環１５Ｂにカム作用突部１８ａ、１８ａ、１８ａが摺動自在に係合されるカム作用溝１５ｂ、１５ｂ、１５ｂが形成され、直進案内移動枠１７Ｂにカム案内突部１７ｄ、１７ｄ、１７ｄが設けられ、回転環１２Ｂにカム案内突部１７ｄ、１７ｄ、１７ｄが摺動自在に係合されるカム案内溝１２ｅ、１２ｅ、１２ｅが形成されている。
【０１５０】
このようにレンズ鏡筒３Ｂにあっては、第２のカム環１５Ｂに移動枠１８を光軸方向へ移動させるカム作用溝１５ｂ、１５ｂ、１５ｂが形成され、回転環１２Ｂに直進案内移動枠１７Ｂを光軸方向へ移動させるカム案内溝１２ｅ、１２ｅ、１２ｅが形成されている。
【０１５１】
従って、第２のカム環１５Ｂに移動枠１８を光軸方向へ移動させる部分と直進案内移動枠１７Ｂを光軸方向へ移動させる部分との両方の部分を形成する必要がなく、その分、第２のカム環１５Ｂと回転環１２Ｂの双方の設計自由度の向上を図ることができる。
【０１５２】
＜第４の実施の形態の構成等＞
次に、第４の実施の形態に係るレンズ鏡筒３Ｃの構成について説明する（図１１乃至図１２参照）。
【０１５３】
尚、以下に示すレンズ鏡筒３Ｃは、上記したレンズ鏡筒３と比較して、回転環と直進カム環と第１のカム環と第２のカム環と直進案内移動枠の構成が異なることのみが相違するため、レンズ鏡筒３と比較して異なる部分についてのみ詳細に説明をし、その他の部分についてはレンズ鏡筒３における同様の部分に付した符号と同じ符号を付して説明は省略する。
【０１５４】
レンズ鏡筒３Ｃは固定環１１、回転環１２Ｃ、直進カム環１３Ｃ、第１のカム環１４Ｃ、第２のカム環１５Ｃ、直進案内環１６、直進案内移動枠１７Ｃ、移動枠１８及び１群枠１９を有している。
【０１５５】
回転環１２Ｃは固定環１１より一回り小さい略円筒状に形成され、回転環１２Ｃにカム案内溝１２ｅ、１２ｅ、１２ｅが周方向に離隔して形成されている。
【０１５６】
直進カム環１３Ｃは回転環１２Ｃより一回り小さい略円筒状に形成され、直進カム環１３Ｃにはカム係合溝１３ｄ、１３ｄ、１３ｄが形成されていない。
【０１５７】
第１のカム環１４Ｃは直進カム環１３Ｃより一回り小さい略円筒状に形成され、第１のカム環１４Ｃの後端部に嵌合凹部１４ｄ、１４ｄ、１４ｄが周方向に離隔して形成されている。第１のカム環１４Ｃには直進案内凹部１４ｃ、１４ｃ、１４ｃが形成されていない。
【０１５８】
第２のカム環１５Ｃは第１のカム環１４Ｃより小さい略円筒状に形成され、第２のカム環１５Ｃの後端部には嵌合突部１５ｅ、１５ｅ、１５ｅが周方向に離隔して設けられている。第２のカム環１５Ｃにはカム係合突部１５ａ、１５ａ、１５ａが設けられていない。第２のカム環１５Ｃにはカム駆動溝１５ｃ、１５ｃ、１５ｃが形成されていない。
【０１５９】
第２のカム環１５Ｃは嵌合突部１５ｅ、１５ｅ、１５ｅがそれぞれ第１のカム環１４Ｃの嵌合凹部１４ｄ、１４ｄ、１４ｄに嵌合されて第１のカム環１４Ｃに結合されている。
【０１６０】
従って、第２のカム環１５Ｃは第１のカム環１４Ｃの光軸と平行な軸を中心にした回転に伴って一体に回転されると共に第１のカム環１４Ｃの光軸方向への移動に伴って一体に移動される。
【０１６１】
尚、第２のカム環１５Ｃと第１のカム環１４Ｃの結合は嵌合突部１５ｅ、１５ｅ、１５ｅが嵌合凹部１４ｄ、１４ｄ、１４ｄに嵌合されて行われることに限られることはなく、例えば、ネジ止めや接着等によって行われるようにしてもよい。
【０１６２】
また、第２のカム環１５Ｃと第１のカム環１４Ｃの結合は、光軸方向における結合と周方向における結合とを異なる位置で嵌合することにより行ってもよい。
【０１６３】
直進案内移動枠１７Ｃは第２のカム環１５Ｃより一回り小さい略円筒状に形成された保持筒部２５と保持筒部２５の後端部から外方へ張り出されたフランジ部２６とを有している。
【０１６４】
直進案内移動枠１７Ｃには直進誘導突部１７ｂ、１７ｂ、１７ｂの前端部にそれぞれ外方へ突出されたカム案内突部１７ｄ、１７ｄ、１７ｄが設けられている。直進案内移動枠１７Ｃにはカム駆動突部１７ａ、１７ａ、１７ａが設けられていない。
【０１６５】
直進案内移動枠１７Ｃのカム案内突部１７ｄ、１７ｄ、１７ｄはそれぞれ回転環１２Ｃのカム案内溝１２ｅ、１２ｅ、１２ｅに摺動自在に係合されている。
【０１６６】
従って、直進案内移動枠１７Ｃは回転環１２Ｃの回転によってカム案内突部１７ｄ、１７ｄ、１７ｄがそれぞれカム案内溝１２ｅ、１２ｅ、１２ｅに摺動され、直進誘導突部１７ｂ、１７ｂ、１７ｂがそれぞれ直進誘導溝１３ｅ、１３ｅ、１３ｅに案内されて光軸方向へ移動される。
【０１６７】
＜第４の実施の形態の動作＞
上記のように構成されたレンズ鏡筒３Ｃは収納位置（図１２参照）と繰出位置（図１１参照）の間で伸縮するように動作される。
【０１６８】
回転環１２Ｃが駆動モーター２２の駆動力によって回転されると、各部が以下のように動作される。
【０１６９】
直進カム環１３Ｃは回転環１２Ｃの回転に伴って被案内突部１３ａ、１３ａ、１３ａが直進案内溝１１ｂ、１１ｂ、１１ｂに案内されて回転環１２Ｃの光軸方向への移動に伴って移動される。
【０１７０】
第１のカム環１４Ｃは回転環１２Ｃの光軸と平行な軸を中心にした回転に伴って回転されると共にカム摺動突部１４ａ、１４ａ、１４ａがカム摺動溝１３ｃ、１３ｃ、１３ｃと直進ガイド溝１２ｃ、１２ｃ、１２ｃに摺動されて光軸方向へ移動される。
【０１７１】
第２のカム環１５Ｃは第１のカム環１４Ｃの光軸と平行な軸を中心にした回転に伴って一体になって回転されると共に第１のカム環１４Ｃの光軸方向への移動に伴って一体になって移動される。
【０１７２】
直進案内移動枠１７Ｃは回転環１２Ｃの回転によってカム案内突部１７ｄ、１７ｄ、１７ｄがそれぞれカム案内溝１２ｅ、１２ｅ、１２ｅに摺動され、直進誘導突部１７ｂ、１７ｂ、１７ｂがそれぞれ直進誘導溝１３ｅ、１３ｅ、１３ｅに案内されて光軸方向へ移動される。
【０１７３】
＜第４の実施の形態のまとめ＞
以上に記載した通り、レンズ鏡筒３Ｃにあっては、第１レンズ群３３を保持する１群枠１９と１群枠１９を光軸方向へ案内する直進案内環１６と直進案内環１６を光軸方向へ案内する直進案内移動枠１７Ｃと直進案内移動枠１７Ｃを光軸方向へ案内する直進カム環１３Ｃとを有し、１群枠１９を光軸方向へ案内する直進案内環１６の直進成分が直進案内移動枠１７Ｃを介して直進カム環１３Ｃから渡されるように構成されている。
【０１７４】
従って、直進案内環１６に直進カム環１３Ｃとの連結を行うための第２のカム環１５Ｃを越えて位置される光軸方向に長い被ガイド突部を設ける必要がなく、その分、レンズ鏡筒３Ｃの光軸方向における小型化を図ることができる。
【０１７５】
尚、直進案内移動枠１７Ｃはレンズ鏡筒３Ｃを構成するために必要な部材であるため、直進案内環１６の直進成分が直進案内移動枠１７Ｃを介して直進カム環１３Ｃから渡されるように構成しても部品点数が増加することがなく、部品点数の増加や製造コストの高騰を来たすことなく、レンズ鏡筒３Ｃの小型化を図ることができる。
【０１７６】
また、レンズ鏡筒３Ｃにあっては、第１のカム環１４Ｃと第２のカム環１５Ｃは光軸方向へ相互移動不能に支持されている。
【０１７７】
従って、第１のカム環１４Ｃと第２のカム環１５Ｃが光軸方向へ一体になって移動されるため、動作の簡素化を図ることができる。
【０１７８】
さらに、レンズ鏡筒３Ｃにあっては、カム作用突部１８ａ、１８ａ、１８ａを有する移動枠１８が設けられ、第２のカム環１５Ｃにカム作用突部１８ａ、１８ａ、１８ａが摺動自在に係合されるカム作用溝１５ｂ、１５ｂ、１５ｂが形成され、直進案内移動枠１７Ｃにカム案内突部１７ｄ、１７ｄ、１７ｄが設けられ、回転環１２Ｃにカム案内突部１７ｄ、１７ｄ、１７ｄが摺動自在に係合されるカム案内溝１２ｅ、１２ｅ、１２ｅが形成されている。
【０１７９】
このようにレンズ鏡筒３Ｃにあっては、第２のカム環１５Ｃに移動枠１８を光軸方向へ移動させるカム作用溝１５ｂ、１５ｂ、１５ｂが形成され、回転環１２Ｃに直進案内移動枠１７Ｃを光軸方向へ移動させるカム案内溝１２ｅ、１２ｅ、１２ｅが形成されている。
【０１８０】
従って、第２のカム環１５Ｃに移動枠１８を光軸方向へ移動させる部分と直進案内移動枠１７Ｃを光軸方向へ移動させる部分との両方の部分を形成する必要がなく、その分、第２のカム環１５Ｃと回転環１２Ｃの双方の設計自由度の向上を図ることができる。
【０１８１】
［その他］
上記には、移動枠１８と直進案内移動枠１７にそれぞれ第２レンズ群２８と第３レンズ群２５が保持された例を示したが、移動枠１８と直進案内移動枠１７にレンズ群が保持される構成に限られることはなく、移動枠１８と直進案内移動枠１７には開口絞り等の遮光等を目的とした他の光学素子が保持されていてもよい。
【０１８２】
また、レンズ鏡筒３、３Ａ、３Ｂ、３Ｃにおけるレンズ群の構成は３群構成に限られることはなく、任意の数の群構成にすることが可能である。この場合には、上記のように回転環１２（１２Ｂ、１２Ｃ）と第１のカム環１４（１４Ａ、１４Ｃ）と１群枠１９の三段構成のレンズ鏡筒３（３Ａ、３Ｂ、３Ｃ）に限られることはなく、保持されるレンズ群等に応じた４段や５段等の任意の段数の構成にすることが可能である。
【０１８３】
［撮像装置の一実施形態］
図１３に、本技術撮像装置の一実施形態によるスチルカメラ（デジタルスチルカメラ）のブロック図を示す。
【０１８４】
撮像装置（デジタルスチルカメラ）１００（撮像装置１）は、撮像機能を担うカメラブロック４０と、撮影された画像信号のアナログ−デジタル変換等の信号処理を行うカメラ信号処理部４１と、画像信号の記録再生処理を行う画像処理部４２とを有している。また、撮像装置１００は、撮影された画像等を表示するＬＣＤ（Liquid Crystal Display）等の表示部４３と、メモリーカード１０００への画像信号の書込及び読出を行うＲ／Ｗ（リーダ／ライタ）４４と、撮像装置１００の全体を制御するＣＰＵ（Central Processing Unit）４５と、ユーザーによって所要の操作が行われる各種のスイッチ等から成る入力部４６と、カメラブロック４０に配置されたレンズの駆動を制御するレンズ駆動制御部４７とを備えている。
【０１８５】
カメラブロック４０は、レンズ群４８を含む光学系や、ＣＣＤ（Charge Coupled Device）やＣＭＯＳ（Complementary Metal-Oxide Semiconductor）等の撮像素子４９等とによって構成されている。
【０１８６】
カメラ信号処理部４１は、撮像素子４９からの出力信号に対するデジタル信号への変換、ノイズ除去、画質補正、輝度・色差信号への変換等の各種の信号処理を行う。
【０１８７】
画像処理部４２は、所定の画像データーフォーマットに基づく画像信号の圧縮符号化・伸張復号化処理や解像度等のデーター仕様の変換処理等を行う。
【０１８８】
表示部４３はユーザーの入力部４６に対する操作状態や撮影した画像等の各種のデーターを表示する機能を有している。
【０１８９】
Ｒ／Ｗ４４は、画像処理部４２によって符号化された画像データーのメモリーカード１０００への書込及びメモリーカード１０００に記録された画像データーの読出を行う。
【０１９０】
ＣＰＵ４５は、撮像装置１００に設けられた各回路ブロックを制御する制御処理部として機能し、入力部４６からの指示入力信号等に基づいて各回路ブロックを制御する。
【０１９１】
入力部４６は、例えば、シャッター操作を行うためのシャッターレリーズボタンや、動作モードを選択するための選択スイッチ等によって構成され、ユーザーによる操作に応じた指示入力信号をＣＰＵ４５に対して出力する。
【０１９２】
レンズ駆動制御部４７は、ＣＰＵ４５からの制御信号に基づいてレンズ群４８の各レンズを駆動する図示しないモータ等を制御する。
【０１９３】
メモリーカード１０００は、例えば、Ｒ／Ｗ４４に接続されたスロットに対して着脱可能な半導体メモリーである。
【０１９４】
以下に、撮像装置１００における動作を説明する。
【０１９５】
撮影の待機状態では、ＣＰＵ４５による制御の下で、カメラブロック４０において撮影された画像信号が、カメラ信号処理部４１を介して表示部４３に出力され、カメラスルー画像として表示される。また、入力部４６からのズーミングのための指示入力信号が入力されると、ＣＰＵ４５がレンズ駆動制御部４７に制御信号を出力し、レンズ駆動制御部４７の制御に基づいてレンズ群４８の所定のレンズが移動される。
【０１９６】
入力部４６からの指示入力信号によりカメラブロック４０の図示しないシャッターが動作されると、撮影された画像信号がカメラ信号処理部４１から画像処理部４２に出力されて圧縮符号化処理され、所定のデーターフォーマットのデジタルデーターに変換される。変換されたデーターはＲ／Ｗ４４に出力され、メモリーカード１０００に書き込まれる。
【０１９７】
フォーカシングは、例えば、入力部４６のシャッターレリーズボタンが半押しされた場合や記録（撮影）のために全押しされた場合等に、ＣＰＵ４５からの制御信号に基づいてレンズ駆動制御部４７がレンズ群４８の所定のレンズを移動させることにより行われる。
【０１９８】
メモリーカード１０００に記録された画像データーを再生する場合には、入力部４６に対する操作に応じて、Ｒ／Ｗ４４によってメモリーカード１０００から所定の画像データーが読み出され、画像処理部４２によって伸張復号化処理が行われた後、再生画像信号が表示部４３に出力されて再生画像が表示される。
【０１９９】
［本技術］
本技術は、以下のような構成にすることもできる。
【０２００】
（１）カムフォロアが設けられた１群枠と、カム摺動突部が設けられると共に前記カムフォロアが摺動自在に係合されるカム溝が形成された第１のカム環と、前記第１のカム環に光軸と平行な軸を中心に相互回転不能に支持された第２のカム環と、前記第２のカム環に光軸と平行な軸を中心に相互回転可能かつ光軸方向へ相互移動不能に支持され前記１群枠を光軸方向へ案内する直進案内環と、前記直進案内環を光軸方向へ案内する直進案内移動枠と、前記カム摺動突部が摺動自在に係合されるカム摺動溝が形成され前記直進案内移動枠を光軸方向へ案内する直進カム環と、前記直進カム環に光軸と平行な軸を中心に相互回転可能かつ光軸方向へ相互移動不能に支持された回転環とを備えたレンズ鏡筒。
【０２０１】
（２）前記第１のカム環に前記第２のカム環が光軸方向へ相互移動不能に支持された前記（１）に記載のレンズ鏡筒。
【０２０２】
（３）前記第２のカム環にカム係合突部が設けられ、前記直進カム環に前記カム係合突部が摺動自在に係合されるカム係合溝が形成された前記（１）に記載のレンズ鏡筒。
【０２０３】
（４）前記直進案内移動枠にカム駆動突部が設けられ、前記第２のカム環に前記カム駆動突部が摺動自在に係合されるカム駆動溝が形成された前記（１）から前記（３）の何れかに記載のレンズ鏡筒。
【０２０４】
（５）カム作用突部を有する移動枠が設けられ、前記第２のカム環に前記カム作用突部が摺動自在に係合されるカム作用溝が形成され、前記直進案内移動枠にカム案内突部が設けられ、前記回転環に前記カム案内突部が摺動自在に係合されるカム案内溝が形成された前記（２）又は前記（３）に記載のレンズ鏡筒。
【０２０５】
（６）内部に光学系が配置されたレンズ鏡筒と前記光学系を介して取り込まれた光学像を電気的信号に変換する撮像素子とを備え、前記レンズ鏡筒は、カムフォロアが設けられた１群枠と、カム摺動突部が設けられると共に前記カムフォロアが摺動自在に係合されるカム溝が形成された第１のカム環と、前記第１のカム環に光軸と平行な軸を中心に相互回転不能に支持された第２のカム環と、前記第２のカム環に光軸と平行な軸を中心に相互回転可能かつ光軸方向へ相互移動不能に支持され前記１群枠を光軸方向へ案内する直進案内環と、前記直進案内環を光軸方向へ案内する直進案内移動枠と、前記カム摺動突部が摺動自在に係合されるカム摺動溝が形成され前記直進案内移動枠を光軸方向へ案内する直進カム環と、前記直進カム環に光軸と平行な軸を中心に相互回転可能かつ光軸方向へ相互移動不能に支持された回転環とを備えた撮像装置。
【０２０６】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【図面の簡単な説明】
【０２０７】
【図１】図２乃至図１３と共に本技術の最良の形態を示すものであり、本図は、レンズ鏡筒が装置本体に収納されている状態で示す撮像装置の斜視図である。
【図２】レンズ鏡筒が装置本体から突出されている状態で示す撮像装置の斜視図である。
【図３】撮像装置を図１及び図２とは反対側から見た状態で示す斜視図である。
【図４】図５及び図６と共に第１の実施の形態に係るレンズ鏡筒を示すものであり、本図は、分解斜視図である。
【図５】繰出位置にある状態を概念的に示す断面図である。
【図６】収納位置にある状態を概念的に示す断面図である。
【図７】図８と共に第２の実施の形態に係るレンズ鏡筒を示すものであり、本図は、繰出位置にある状態を概念的に示す断面図である。
【図８】収納位置にある状態を概念的に示す断面図である。
【図９】図１０と共に第３の実施の形態に係るレンズ鏡筒を示すものであり、本図は、繰出位置にある状態を概念的に示す断面図である。
【図１０】収納位置にある状態を概念的に示す断面図である。
【図１１】図１２と共に第４の実施の形態に係るレンズ鏡筒を示すものであり、本図は、繰出位置にある状態を概念的に示す断面図である。
【図１２】収納位置にある状態を概念的に示す断面図である。
【図１３】撮像装置のブロック図である。
【図１４】従来のレンズ鏡筒の構成を概念的に示す断面図である。
【符号の説明】
【０２０８】
１…撮像装置、３…レンズ鏡筒、１２…回転環、１３…直進カム環、１３ｃ…カム摺動溝、１３ｄ…カム係合溝、１４…第１のカム環、１４ａ…カム摺動突部、１４ｂ…カム溝、１５…第２のカム環、１５ａ…カム係合突部、１５ｂ…カム作用溝、１５ｃ…カム駆動溝、１６…直進案内環、１７…直進案内移動枠、１７ａ…カム駆動突部、１８…移動枠、１８ａ…カム作用突部、１９…１群枠、１９ａ…カムフォロア、２４…撮像素子、３Ａ…レンズ鏡筒、１３Ａ…直進カム環、１４Ａ…第１のカム環、１５Ａ…第２のカム環、３Ｂ…レンズ鏡筒、１２Ｂ…回転環、１２ｅ…カム案内溝、１５Ｂ…第２のカム環、１７Ｂ…直進案内移動枠、１７ｄ…カム案内突部、３Ｃ…レンズ鏡筒、１２Ｃ…回転環、１３Ｃ…直進カム環、１４Ｃ…第１のカム環、１５Ｃ…第２のカム環、１７Ｃ…直進案内移動枠、４９…撮像素子、１００…撮像装置
【図１】
2013174767.tif 000003
【図２】
2013174767.tif 000004
【図３】
2013174767.tif 000005
【図４】
2013174767.tif 000006
【図５】
2013174767.tif 000007
【図６】
2013174767.tif 000008
【図７】
2013174767.tif 000009
【図８】
2013174767.tif 000010
【図９】
2013174767.tif 000011
【図１０】
2013174767.tif 000012
【図１１】
2013174767.tif 000013
【図１２】
2013174767.tif 000014
【図１３】
2013174767.tif 000015
【図１４】
2013174767.tif 000016